【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
少なくとも１個の有機基が結合されている着色剤を含む変性着色剤であって、該有機基が１，２，３−ベンゼントリカルボン酸のカルシウム指数値より大きいカルシウム指数値を有する変性着色剤。
【請求項２】
着色剤が顔料である、請求項１に記載の変性着色剤。
【請求項３】
有機基が、少なくとも２個のホスホン酸基、その部分エステル又はその塩を含む、請求項２に記載の変性着色剤。
【請求項４】
有機基が、少なくとも１個のジェミナルビスホスホン酸基、その部分エステル又はその塩を含む、請求項３に記載の変性着色剤。
【請求項５】
有機基が、少なくとも１個の式−ＣＱ（ＰＯ3Ｈ2）2を有する基又はその塩（ここで、ＱはＨ、Ｒ、ＯＲ、ＳＲ又はＮＲ2（ここで、Ｒは同じ又は異なっていてもよく、そしてＨ、Ｃ１〜Ｃ１８アルキル基、Ｃ１〜Ｃ１８アシル基、アラルキル基、アルカリール基又はアリール基である）である）を含む、請求項４に記載の変性着色剤。
【請求項６】
顔料がカーボンブラックである、請求項２に記載の変性着色剤。
【請求項７】
着色剤が染料である、請求項１に記載の変性着色剤。
【請求項８】
有機基が、少なくとも２個のホスホン酸基、その部分エステル又はその塩を含む、請求項７に記載の変性着色剤。
【請求項９】
少なくとも１個の有機基が結合されている顔料を含む変性着色剤であって、該有機基が
ｉ）少なくとも２個のホスホン酸基、その部分エステル若しくはその塩、
ｉｉ）少なくとも１個のヒドロキサム酸基若しくはその塩、
ｉｉｉ）少なくとも１個のホスホン酸基若しくはその塩及び少なくとも１個の第２のイオン基、イオン化性基若しくは塩基性基、又は
ｉｖ）少なくとも１個のニトロソ基と少なくとも１個のＯＨ基若しくはそれらの塩を有するアリール基
を含む変性着色剤。
【請求項１０】
少なくとも１個の有機基が結合されている顔料を含む変性着色剤であって、該有機基が
ｉ）少なくとも１個のＯＨ基若しくはその塩を有する少なくとも１個の複素環式基、
ｉｉ）少なくとも１個のカルボン酸基若しくはその塩を有する少なくとも１個のヘテロアリール基、又は
ｉｉｉ）少なくとも１個のＯＨ基、少なくとも１個のＮＨ2基若しくは１個のＯＨ基と１個のＮＨ2基を有する且つ式Ａｒ1−Ｎ＝Ｎ−Ａｒ2（ここで、Ａｒ1及びＡｒ2は同じ又は異なり得そしてアリーレン基又はアリール基であり、且つＡｒ1又はＡｒ2の少なくとも一方はアリーレン基である）を有するアゾアレーン基
を含む変性着色剤。
【請求項１１】
少なくとも１個の有機基及び少なくとも１個の第２有機基が結合されている顔料を含む変性着色剤であって、該有機基がフェニルホスホン酸のカルシウム指数値より大きいカルシウム指数値を有し、そして第２有機基がポリマー基である変性着色剤。
【請求項１２】
インクジェットインキ組成物であって、
ａ）液体ビヒクル、及び
ｂ）少なくとも１個の有機基が結合されている着色剤を含む変性着色剤であって、該有機基が１，２，３−ベンゼントリカルボン酸のカルシウム指数値より大きいカルシウム指数値を有する変性着色剤
を含むインクジェットインキ組成物。
【請求項１３】
着色剤が顔料である、請求項１２に記載のインクジェットインキ組成物。
【請求項１４】
有機基が、少なくとも２個のホスホン酸基又はその塩を含む、請求項１３に記載のインクジェットインキ組成物。
【請求項１５】
少なくとも１種のポリマーが結合又は吸着されている顔料を含む第２変性顔料を更に含む、請求項１２に記載のインクジェットインキ組成物。
【請求項１６】
インクジェットインキ組成物であって、
ａ）液体ビヒクル、並びに
ｂ）少なくとも１個の有機基が結合されている顔料を含む変性着色剤であって、該有機基が
ｉ）少なくとも２個のホスホン酸基、その部分エステル若しくはその塩、
ｉｉ）少なくとも１個のヒドロキサム酸基若しくはその塩、
ｉｉｉ）少なくとも１個のホスホン酸基若しくはその塩及び少なくとも１個の第２のイオン基、イオン化性基若しくは塩基性基、又は
ｉｖ）少なくとも１個のニトロソ基と少なくとも１個のＯＨ基若しくはそれらの塩を有するアリール基
を含む変性着色剤
を含むインクジェットインキ組成物。
【請求項１７】
インクジェットインキ組成物であって、
ａ）液体ビヒクル、及び
ｂ）少なくとも１個の有機基が結合されている顔料を含む変性着色剤であって、該有機基が
ｉ）少なくとも１個のＯＨ基若しくはその塩を有する少なくとも１個の複素環式基、
ｉｉ）少なくとも１個のカルボン酸基若しくはその塩を有するヘテロアリール基、又は
ｉｉｉ）少なくとも１個のＯＨ基、少なくとも１個のＮＨ2基若しくは１個のＯＨ基と１個のＮＨ2基を有する且つ式Ａｒ1−Ｎ＝Ｎ−Ａｒ2（ここで、Ａｒ1及びＡｒ2は同じ又は異なっていてもよく、そしてアリーレン基又はアリール基であり、且つＡｒ1又はＡｒ2の少なくとも一方はアリーレン基である）を有するアゾアレーン基
を含む変性着色剤
を含むインクジェットインキ組成物。
【請求項１８】
インクジェットインキ組成物であって、
ａ）液体ビヒクル、及び
ｂ）少なくとも１個の有機基が結合されている染料を含む変性着色剤であって、該有機基が
ｉ）少なくとも２個のホスホン酸基、その部分エステル若しくはその塩、又は
ｉｉ）少なくとも１個のヒドロキサム酸基若しくはその塩
を含む変性着色剤
を含むインクジェットインキ組成物。
【請求項１９】
インクジェットインキ組成物であって、
ａ）液体ビヒクル、並びに
ｂ）少なくとも１個の有機基及び少なくとも１個の第２有機基が結合されている着色剤を含む変性顔料であって、該有機基がフェニルホスホン酸のカルシウム指数値より大きいカルシウム指数値を有し、そして第２有機基がポリマー基である変性顔料
を含むインクジェットインキ組成物。
【手続補正２】
【補正対象書類名】明細書
【補正対象項目名】０２５２
【補正方法】変更
【補正の内容】
【０２５２】
本発明の好ましい具体的態様の以上の記載は、例示及び説明の目的のために呈されてきた。それは網羅的であるようには、又は開示された精密な形態に本発明を限定するようには意図されていない。改変及び変型が、上記の教示に鑑みて可能であり又は本発明の実施から習得され得る。当業者が本発明を様々な具体的態様にて及び企てられる特定の使用に適合されるような様々な改変でもって利用するのを可能にするように、本発明の原理及び本発明の実用的適用を説明するために、諸具体的態様が選ばれそして記載された。本発明の範囲は添付の請求項及びそれらの等価物により定められる、ということが意図されている。
以下に、本願発明に関連する発明の実施形態を列挙する。
［実施形態１］
少なくとも１個の有機基が結合されている着色剤を含む変性着色剤であって、該有機基が１，２，３−ベンゼントリカルボン酸のカルシウム指数値より大きいカルシウム指数値を有する変性着色剤。
［実施形態２］
着色剤が顔料である、実施形態１に記載の変性着色剤。
［実施形態３］
有機基が、少なくとも２個のホスホン酸基、その部分エステル又はその塩を含む、実施形態２に記載の変性着色剤。
［実施形態４］
有機基が、少なくとも１個のジェミナルビスホスホン酸基、その部分エステル又はその塩を含む、実施形態３に記載の変性着色剤。
［実施形態５］
有機基が、少なくとも１個の式−ＣＱ（ＰＯ3Ｈ2）2を有する基又はその塩（ここで、ＱはＨ、Ｒ、ＯＲ、ＳＲ又はＮＲ2（ここで、Ｒは同じ又は異なっていてもよく、そしてＨ、Ｃ１〜Ｃ１８アルキル基、Ｃ１〜Ｃ１８アシル基、アラルキル基、アルカリール基又はアリール基である）である）を含む、実施形態４に記載の変性着色剤。
［実施形態６］
有機基が、少なくとも１個の式−（ＣＨ2）n−ＣＱ（ＰＯ3Ｈ2）2を有する基又はその塩（ここで、ｎは１から９である）を含む、実施形態５に記載の変性着色剤。
［実施形態７］
ｎが、１から３である、実施形態６に記載の変性着色剤。
［実施形態８］
有機基が、式−Ｘ−（ＣＨ2）n−ＣＱ（ＰＯ3Ｈ2）2を有する基又はその塩（ここで、Ｘは顔料に結合され、そしてアリーレン、ヘテロアリーレン、アルキレン、アルカリーレン又はアラルキレン基であり、そしてｎは０から９である）を含む、実施形態５に記載の変性着色剤。
［実施形態９］
Ｘがアリーレン基である、実施形態８に記載の変性着色剤。
［実施形態１０］
有機基が、式−Ｘ−Ｓｐ−（ＣＨ2）n−ＣＱ（ＰＯ3Ｈ2）2を有する基又はその塩（ここで、Ｘは顔料に結合され、そしてアリーレン、ヘテロアリーレン、アルキレン、アルカリーレン又はアラルキレン基であり、そしてＳｐはスペーサー基であり、そしてｎは０から９である）を含む、実施形態５に記載の変性着色剤。
［実施形態１１］
Ｓｐが、−ＣＯ2−、−Ｏ2Ｃ−、−Ｏ−、−ＮＲ″−、−ＮＲ″ＣＯ−、−ＣＯＮＲ″−、−ＳＯ2ＮＲ″−、−ＳＯ2ＣＨ2ＣＨ2ＮＲ″−、−ＳＯ2ＣＨ2ＣＨ2Ｏ−又は−ＳＯ2ＣＨ2ＣＨ2Ｓ−（ここで、Ｒ″はＨ又はＣ１〜Ｃ６アルキル基である）である、実施形態１０に記載の変性着色剤。
［実施形態１２］
Ｘがアリーレン基である、実施形態１０に記載の変性着色剤。
［実施形態１３］
有機基が、少なくとも１個の式−Ｎ−［（ＣＨ2）m（ＰＯ3Ｈ2）］2を有する基又はその塩（ここで、ｍは同じ又は異なっていてもよく、そして１から３である）を含む、実施形態３に記載の変性着色剤。
［実施形態１４］
有機基が、少なくとも１個の式−（ＣＨ2）n−Ｎ−［（ＣＨ2）m（ＰＯ3Ｈ2）］2を有する基又はその塩（ここで、ｎは１から９である）を含む、実施形態１３に記載の変性着色剤。
［実施形態１５］
有機基が、式−Ｘ−（ＣＨ2）n−Ｎ−［（ＣＨ2）m（ＰＯ3Ｈ2）］2を有する基又はその塩（ここで、Ｘは顔料に結合され、そしてアリーレン、ヘテロアリーレン、アルキレン、アルカリーレン又はアラルキレン基であり、そしてｎは０から９である）を含む、実施形態１３に記載の変性着色剤。
［実施形態１６］
有機基が、式−Ｘ−Ｓｐ−（ＣＨ2）n−Ｎ−［（ＣＨ2）m（ＰＯ3Ｈ2）］2を有する基又はその塩（ここで、Ｘは顔料に結合され、そしてアリーレン、ヘテロアリーレン、アルキレン、アルカリーレン又はアラルキレン基であり、そしてＳｐはスペーサー基であり、そしてｎは０から９である）を含む、実施形態１３に記載の変性着色剤。
［実施形態１７］
Ｓｐが、−ＣＯ2−、−Ｏ2Ｃ−、−Ｏ−、−ＮＲ″−、−ＮＲ″ＣＯ−、−ＣＯＮＲ″−、−ＳＯ2ＮＲ″−、−ＳＯ2ＣＨ2ＣＨ2ＮＲ″−、−ＳＯ2ＣＨ2ＣＨ2Ｏ−又は−ＳＯ2ＣＨ2ＣＨ2Ｓ−（ここで、Ｒ″はＨ又はＣ１〜Ｃ６アルキル基である）である、実施形態１６に記載の変性着色剤。
［実施形態１８］
有機基が、少なくとも１個の式−ＣＲ＝Ｃ（ＰＯ3Ｈ2）2を有する基又はその塩（ここで、ＲはＨ、Ｃ１〜Ｃ６アルキル基又はアリール基である）を含む、実施形態３に記載の変性着色剤。
［実施形態１９］
有機基が、少なくとも１個のヒドロキサム酸基又はその塩を含む、実施形態２に記載の変性着色剤。
［実施形態２０］
有機基が、少なくとも１個のヒドロキシピリドニル基又は少なくとも１個のヒドロキシキノロニル基を含む、実施形態１９に記載の変性着色剤。
［実施形態２１］
有機基が、１−ヒドロキシ−２−ピリドニル基を含む、実施形態２０に記載の変性着色剤。
［実施形態２２］
有機基が、１−ヒドロキシ−２−キノロニル基を含む、実施形態２０に記載の変性着色剤。
［実施形態２３］
有機基が、少なくとも１個のＯＨ基又はその塩を有する少なくとも１個の複素環式基を含む、実施形態２に記載の変性着色剤。
［実施形態２４］
有機基が、少なくとも１個のヒドロキシピリジニル基又は少なくとも１個のヒドロキシキノリニル基を含む、実施形態２３に記載の変性着色剤。
［実施形態２５］
有機基が、２−ヒドロキシ−ピリジニル基を含む、実施形態２４に記載の変性着色剤。
［実施形態２６］
有機基が、８−ヒドロキシ−キノリニル基又は２−ヒドロキシ−キノリニル基を含む、実施形態２４に記載の変性着色剤。
［実施形態２７］
複素環式基が、少なくとも２個のＯＨ基を有する、実施形態２３に記載の変性着色剤。
［実施形態２８］
有機基が、２，３−ジヒドロキシ−ピリジニル基又は３，４−ジヒドロキシ−ピリジニル基である、実施形態２７に記載の変性着色剤。
［実施形態２９］
有機基が、少なくとも１個のホスホン酸基又はその塩と、該ホスホン酸基又はその塩に対してビシナル又はジェミナルの少なくとも１個の第２のイオン基、イオン化性基又は塩基性基とを含む、実施形態２に記載の変性着色剤。
［実施形態３０］
第２のイオン基、イオン化性基又は塩基性基が、カルボン酸基、スルホン酸基、ヒドロキシル基又はそれらの塩である、実施形態２９に記載の変性着色剤。
［実施形態３１］
有機基が、少なくとも１個の式−ＣＱ（ＰＯ3Ｈ2）（ＣＯ2Ｈ）を有する基又はその塩（ここで、ＱはＨ、Ｒ、ＯＲ、ＳＲ又はＮＲ2（ここで、Ｒは同じ又は異なっていてもよく、そしてＨ、Ｃ１〜Ｃ１８アルキル基、Ｃ１〜Ｃ１８アシル基、アラルキル基、アルカリール基又はアリール基である）である）を含む、実施形態２９に記載の変性着色剤。
［実施形態３２］
有機基が、少なくとも１個の式−ＣＲ（ＰＯ3Ｈ2）（ＯＨ）を有する基又はその塩（ここで、ＲはＨ又はＣ１〜Ｃ６アルキル基である）を含む、実施形態２９に記載の変性着色剤。
［実施形態３３］
有機基が、式−Ｘ−（ＰＯ3Ｈ2）（ＯＨ）を有する基又はその塩（ここで、Ｘはアリーレン又はヘテロアリーレン基であり、そしてＰＯ3Ｈ2とＯＨ基又はそれらの塩は互いに対してオルトである）を含む、実施形態２９に記載の変性着色剤。
［実施形態３４］
有機基が、少なくとも１個のカルボン酸基又はその塩を有するヘテロアリール基を含む、実施形態２に記載の変性着色剤。
［実施形態３５］
ヘテロアリール基が、少なくとも２個のカルボン酸基又はその塩を有する、実施形態３４に記載の変性着色剤。
［実施形態３６］
有機基が、２，６−ピリジニル−ジカルボン酸基又はその塩である、実施形態３５に記載の変性着色剤。
［実施形態３７］
有機基が、少なくとも１個のニトロソ基と少なくとも１個のＯＨ基又はそれらの塩を有するアリール基を含む、実施形態２に記載の変性着色剤。
［実施形態３８］
有機基が、ニトロソフェノール基又はその塩である、実施形態３７に記載の変性着色剤。
［実施形態３９］
有機基が、少なくとも２個のＯＨ基、少なくとも２個のＮＨ2基又は少なくとも１個のＯＨ基と少なくとも１個のＮＨ2基を有するアゾアレーン基を含み且つ式Ａｒ1−Ｎ＝Ｎ−Ａｒ2（ここで、Ａｒ1及びＡｒ2は同じ又は異なっていてもよく、そしてアリーレン基又はアリール基であり、且つＡｒ1又はＡｒ2の少なくとも一方はアリーレン基である）を有する、実施形態２に記載の変性着色剤。
［実施形態４０］
有機基が、構造−（ＨＯ）Ｃ6Ｈ3−Ｎ＝Ｎ−Ｃ6Ｈ3Ｚ（ＯＨ）（ここで、Ｚはクロロ又はニトロ基である）を有する基である、実施形態３９に記載の変性着色剤。
［実施形態４１］
顔料に、該有機基とは異なる少なくとも１個の第２有機基が更に結合されている、実施形態２に記載の変性着色剤。
［実施形態４２］
第２有機基が、少なくとも１個のイオン基、少なくとも１個のイオン化性基又はそれらの混合物を含む、実施形態４１に記載の変性着色剤。
［実施形態４３］
第２有機基が、フェニルホスホン酸のカルシウム指数値より大きいカルシウム指数値を有する、実施形態４１に記載の変性着色剤。
［実施形態４４］
第２有機基がポリマー基である、実施形態４１に記載の変性着色剤。
［実施形態４５］
ポリマー基が、２００より小さいか又は等しい酸価を有するポリマーを含む、実施形態４４に記載の変性着色剤。
［実施形態４６］
ポリマー基が、１００より小さいＴｇを有するポリマーを含む、実施形態４４に記載の変性着色剤。
［実施形態４７］
ポリマー基が、着色剤の０．１から５０重量％の量にて存在する、実施形態４４に記載の変性着色剤。
［実施形態４８］
顔料が、青色顔料、黒色顔料、茶色顔料、シアン色顔料、緑色顔料、白色顔料、バイオレット色顔料、マゼンタ色顔料、赤色顔料、黄色顔料又はそれらの混合物を含む、実施形態２に記載の変性着色剤。
［実施形態４９］
顔料が、ピグメントブルー１５、ピグメントレッド１２２、ピグメントバイオレッド１９、ピグメントイエロー７４、ピグメントイエロー１５５、ピグメントイエロー１２８、ピグメントイエロー２１８、ピグメントイエロー２２０又はピグメントイエロー２２１である、実施形態２に記載の変性着色剤。
［実施形態５０］
有機基が、少なくとも２個のホスホン酸基、その部分エステル又はその塩を含む、実施形態４９に記載の変性着色剤。
［実施形態５１］
有機基が、少なくとも１個のヒドロキサム酸基又はその塩を含む、実施形態４９に記載の変性着色剤。
［実施形態５２］
有機基が、少なくとも１個の式−ＣＱ（ＰＯ3Ｈ2）（ＣＯ2Ｈ）を有する基又はその塩（ここで、ＱはＨ、Ｒ、ＯＲ、ＳＲ又はＮＲ2（ここで、Ｒは同じ又は異なっていてもよく、そしてＨ、Ｃ１〜Ｃ１８アルキル基、Ｃ１〜Ｃ１８アシル基、アラルキル基、アルカリール基又はアリール基である）である）を含む、実施形態４９に記載の変性着色剤。
［実施形態５３］
有機基が、少なくとも２個のカルボン酸基又はその塩を有するヘテロアリール基を含む、実施形態４９に記載の変性着色剤。
［実施形態５４］
有機基が、少なくとも１個のニトロソ基と少なくとも１個のＯＨ基又はそれらの塩を有するアリール基を含む、実施形態４９に記載の変性着色剤。
［実施形態５５］
有機基が、少なくとも２個のＯＨ基、少なくとも２個のＮＨ2基又は１個のＯＨ基と１個のＮＨ2基を有するアゾアレーン基を含み且つ式Ａｒ1−Ｎ＝Ｎ−Ａｒ2（ここで、Ａｒ1及びＡｒ2は同じ又は異なり得そしてアリーレン基又はアリール基であり、且つＡｒ1又はＡｒ2の少なくとも一方はアリーレン基である）を有する、実施形態４９に記載の変性着色剤。
［実施形態５６］
顔料に、該有機基とは異なる少なくとも１個の第２有機基が更に結合されている、実施形態４９に記載の変性着色剤。
［実施形態５７］
第２有機基が、少なくとも１個のイオン基、少なくとも１個のイオン化性基又はそれらの混合物を含む、実施形態５６に記載の変性着色剤。
［実施形態５８］
第２有機基がポリマー基である、実施形態５６に記載の変性着色剤。
［実施形態５９］
顔料がカーボンブラックである、実施形態２に記載の変性着色剤。
［実施形態６０］
有機基が、少なくとも２個のホスホン酸基、その部分エステル又はその塩を含む、実施形態５９に記載の変性着色剤。
［実施形態６１］
有機基が、少なくとも１個の式−ＣＱ（ＰＯ3Ｈ2）2を有する基又はその塩（ここで、ＱはＨ、Ｒ、ＯＲ、ＳＲ又はＮＲ2（ここで、Ｒは同じ又は異なっていてもよく、そしてＨ、Ｃ１〜Ｃ１８アルキル基、Ｃ１〜Ｃ１８アシル基、アラルキル基、アルカリール基又はアリール基である）である）を含む、実施形態６０に記載の変性着色剤。
［実施形態６２］
有機基が、式−Ｘ−Ｓｐ−（ＣＨ2）n−ＣＱ（ＰＯ3Ｈ2）2を有する基又はその塩（ここで、Ｘは顔料に結合されそしてアリーレン、ヘテロアリーレン、アルキレン、アルカリーレン又はアラルキレン基でありそしてＳｐはスペーサー基であり、そしてｎは０から９である）を含む、実施形態６０に記載の変性着色剤。
［実施形態６３］
Ｓｐが、−ＣＯ2−、−Ｏ2Ｃ−、−Ｏ−、−ＮＲ″−、−ＮＲ″ＣＯ−、−ＣＯＮＲ″−、−ＳＯ2ＮＲ″−、−ＳＯ2ＣＨ2ＣＨ2ＮＲ″−、−ＳＯ2ＣＨ2ＣＨ2Ｏ−又は−ＳＯ2ＣＨ2ＣＨ2Ｓ−（ここで、Ｒ″はＨ又はＣ１〜Ｃ６アルキル基である）である、実施形態６２に記載の変性着色剤。
［実施形態６４］
有機基が、少なくとも１個の式−Ｎ−［（ＣＨ2）m（ＰＯ3Ｈ2）］2を有する基又はその塩（ここで、ｍは１から３である）を含む、実施形態６０に記載の変性着色剤。
［実施形態６５］
有機基が、少なくとも１個のヒドロキサム酸基又はその塩を含む、実施形態５９に記載の変性着色剤。
［実施形態６６］
有機基が、少なくとも１個のヒドロキシピリドニル基又は少なくとも１個のヒドロキシキノロニル基を含む、実施形態６５に記載の変性着色剤。
［実施形態６７］
有機基が、少なくとも１個の式−ＣＱ（ＰＯ3Ｈ2）（ＣＯ2Ｈ）を有する基又はその塩（ここで、ＱはＨ、Ｒ、ＯＲ、ＳＲ又はＮＲ2（ここで、Ｒは同じ又は異なっていてもよく、そしてＨ、Ｃ１〜Ｃ１８アルキル基、Ｃ１〜Ｃ１８アシル基、アラルキル基、アルカリール基又はアリール基である）である）を含む、実施形態５９に記載の変性着色剤。
［実施形態６８］
有機基が、少なくとも２個のカルボン酸基又はその塩を有するヘテロアリール基を含む、実施形態５９に記載の変性着色剤。
［実施形態６９］
有機基が、少なくとも１個のニトロソ基と少なくとも１個のＯＨ基又はそれらの塩を有するアリール基を含む、実施形態５９に記載の変性着色剤。
［実施形態７０］
有機基が、少なくとも２個のＯＨ基、少なくとも２個のＮＨ2基又は１個のＯＨ基と１個のＮＨ2基を有するアゾアレーン基を含み且つ式Ａｒ1−Ｎ＝Ｎ−Ａｒ2（ここで、Ａｒ1及びＡｒ2は同じ又は異なっていてもよく、そしてアリーレン基又はアリール基であり、且つＡｒ1又はＡｒ2の少なくとも一方はアリーレン基である）を有する、実施形態５９に記載の変性着色剤。
［実施形態７１］
着色剤に、該有機基とは異なる少なくとも１個の第２有機基が更に結合されている、実施形態５９に記載の変性着色剤。
［実施形態７２］
第２有機基が、少なくとも１個のイオン基、少なくとも１個のイオン化性基又はそれらの混合物を含む、実施形態７１に記載の変性着色剤。
［実施形態７３］
第２有機基がポリマー基である、実施形態７１に記載の変性着色剤。
［実施形態７４］
着色剤が染料である、実施形態１に記載の変性着色剤。
［実施形態７５］
有機基が、少なくとも２個のホスホン酸基、その部分エステル又はその塩を含む、実施形態７４に記載の変性着色剤。
［実施形態７６］
有機基が、少なくとも１個のヒドロキサム酸基又はその塩を含む、実施形態７４に記載の変性着色剤。
［実施形態７７］
少なくとも１個の有機基が結合されている顔料を含む変性着色剤であって、該有機基が
ｉ）少なくとも２個のホスホン酸基、その部分エステル若しくはその塩、
ｉｉ）少なくとも１個のヒドロキサム酸基若しくはその塩、
ｉｉｉ）少なくとも１個のホスホン酸基若しくはその塩及び少なくとも１個の第２のイオン基、イオン化性基若しくは塩基性基、又は
ｉｖ）少なくとも１個のニトロソ基と少なくとも１個のＯＨ基若しくはそれらの塩を有するアリール基
を含む変性着色剤。
［実施形態７８］
有機基が、少なくとも２個のホスホン酸基又はその塩を含む、実施形態７７に記載の変性着色剤。
［実施形態７９］
有機基が、少なくとも１個のヒドロキサム酸基又はその塩を含む、実施形態７７に記載の変性着色剤。
［実施形態８０］
有機基が、少なくとも１個のニトロソ基と少なくとも１個のＯＨ基又はそれらの塩を含む、実施形態７７に記載の変性着色剤。
［実施形態８１］
少なくとも１個の有機基が結合されている顔料を含む変性着色剤であって、該有機基が
ｉ）少なくとも１個のＯＨ基若しくはその塩を有する少なくとも１個の複素環式基、
ｉｉ）少なくとも１個のカルボン酸基若しくはその塩を有する少なくとも１個のヘテロアリール基、又は
ｉｉｉ）少なくとも１個のＯＨ基、少なくとも１個のＮＨ2基若しくは１個のＯＨ基と１個のＮＨ2基を有する且つ式Ａｒ1−Ｎ＝Ｎ−Ａｒ2（ここで、Ａｒ1及びＡｒ2は同じ又は異なり得そしてアリーレン基又はアリール基であり、且つＡｒ1又はＡｒ2の少なくとも一方はアリーレン基である）を有するアゾアレーン基
を含む変性着色剤。
［実施形態８２］
有機基が、少なくとも２個のＯＨ基、少なくとも２個のＮＨ2基又は１個のＯＨ基と１個のＮＨ2基を有するアゾアレーン基を含み且つ式Ａｒ1−Ｎ＝Ｎ−Ａｒ2（ここで、Ａｒ1及びＡｒ2は同じ又は異なり得そしてアリーレン基又はアリール基であり、且つＡｒ1又はＡｒ2の少なくとも一方はアリーレン基である）を有する、実施形態８１に記載の変性着色剤。
［実施形態８３］
少なくとも１個の有機基及び少なくとも１個の第２有機基が結合されている顔料を含む変性着色剤であって、該有機基がフェニルホスホン酸のカルシウム指数値より大きいカルシウム指数値を有し、そして第２有機基がポリマー基である変性着色剤。
［実施形態８４］
有機基が、少なくとも２個のホスホン酸基又はその塩を含む、実施形態８３に記載の変性着色剤。
［実施形態８５］
有機基が、少なくとも１個のアリールポリ酸基を含む、実施形態８３に記載の変性着色剤。
［実施形態８６］
有機基が、少なくとも１個のヒドロキサム酸基又はその塩を含む、実施形態８３に記載の変性着色剤。
［実施形態８７］
有機基が、少なくとも２個のＯＨ基、少なくとも２個のＮＨ2基又は１個のＯＨ基と１個のＮＨ2基を有するアゾアレーン基を含み且つ式Ａｒ1−Ｎ＝Ｎ−Ａｒ2（ここで、Ａｒ1及びＡｒ2は同じ又は異なり得そしてアリーレン基又はアリール基であり、且つＡｒ1又はＡｒ2の少なくとも一方はアリーレン基である）を有する、実施形態８３に記載の変性着色剤。
［実施形態８８］
インクジェットインキ組成物であって、
ａ）液体ビヒクル、及び
ｂ）少なくとも１個の有機基が結合されている着色剤を含む変性着色剤であって、該有機基が１，２，３−ベンゼントリカルボン酸のカルシウム指数値より大きいカルシウム指数値を有する変性着色剤
を含むインクジェットインキ組成物。
［実施形態８９］
着色剤が顔料である、実施形態８８に記載のインクジェットインキ組成物。
［実施形態９０］
有機基が、少なくとも２個のホスホン酸基又はその塩を含む、実施形態８９に記載のインクジェットインキ組成物。
［実施形態９１］
該有機基とは異なる少なくとも１個の第２有機基が結合されている顔料を含む第２変性顔料を更に含む、実施形態８８に記載のインクジェットインキ組成物。
［実施形態９２］
第２有機基が、少なくとも１個のイオン基、少なくとも１個のイオン化性基又はそれらの混合物を含む、実施形態９１に記載のインクジェットインキ組成物。
［実施形態９３］
第２有機基が、フェニルホスホン酸のカルシウム指数値より大きいカルシウム指数値を有する、実施形態９１に記載のインクジェットインキ組成物。
［実施形態９４］
少なくとも１種のポリマーが結合又は吸着されている顔料を含む第２変性顔料を更に含む、実施形態８８に記載のインクジェットインキ組成物。
［実施形態９５］
第２変性顔料が、ポリマー被覆顔料である、実施形態９４に記載のインクジェットインキ組成物。
［実施形態９６］
第２変性顔料が、少なくとも１個のポリマー基が結合されている顔料であり、しかも該ポリマー基が該ポリマーを含む、実施形態９４に記載のインクジェットインキ組成物。
［実施形態９７］
ビヒクルが水性ビヒクルである、実施形態８８に記載のインクジェットインキ組成物。
［実施形態９８］
インクジェットインキ組成物であって、
ａ）液体ビヒクル、並びに
ｂ）少なくとも１個の有機基が結合されている顔料を含む変性着色剤であって、該有機基が
ｉ）少なくとも２個のホスホン酸基、その部分エステル若しくはその塩、
ｉｉ）少なくとも１個のヒドロキサム酸基若しくはその塩、
ｉｉｉ）少なくとも１個のホスホン酸基若しくはその塩及び少なくとも１個の第２のイオン基、イオン化性基若しくは塩基性基、又は
ｉｖ）少なくとも１個のニトロソ基と少なくとも１個のＯＨ基若しくはそれらの塩を有するアリール基
を含む変性着色剤
を含むインクジェットインキ組成物。
［実施形態９９］
有機基が、少なくとも２個のホスホン酸基又はその塩を含む、実施形態９８に記載のインクジェットインキ組成物。
［実施形態１００］
有機基が、少なくとも１個のヒドロキサム酸基又はその塩を含む、実施形態９８に記載のインクジェットインキ組成物。
［実施形態１０１］
有機基が、少なくとも１個のニトロソ基と少なくとも１個のＯＨ基又はそれらの塩を有するアリール基を含む、実施形態９８に記載のインクジェットインキ組成物。
［実施形態１０２］
該有機基とは異なる少なくとも１個の第２有機基が結合されている顔料を含む第２変性顔料を更に含む、実施形態９８に記載のインクジェットインキ組成物。
［実施形態１０３］
第２有機基が、少なくとも１個のイオン基、少なくとも１個のイオン化性基又はそれらの混合物を含む、実施形態１０２に記載のインクジェットインキ組成物。
［実施形態１０４］
第２有機基が、フェニルホスホン酸のカルシウム指数値より大きいカルシウム指数値を有する、実施形態１０２に記載のインクジェットインキ組成物。
［実施形態１０５］
少なくとも１種のポリマーが結合又は吸着されている顔料を含む第２変性顔料を更に含む、実施形態１０２に記載のインクジェットインキ組成物。
［実施形態１０６］
第２変性顔料が、ポリマー被覆顔料である、実施形態１０５に記載のインクジェットインキ組成物。
［実施形態１０７］
第２変性顔料が、少なくとも１個のポリマー基が結合されている顔料であり、しかも該ポリマー基が該ポリマーを含む、実施形態１０５に記載のインクジェットインキ組成物。
［実施形態１０８］
インクジェットインキ組成物であって、
ａ）液体ビヒクル、及び
ｂ）少なくとも１個の有機基が結合されている顔料を含む変性着色剤であって、該有機基が
ｉ）少なくとも１個のＯＨ基若しくはその塩を有する少なくとも１個の複素環式基、
ｉｉ）少なくとも１個のカルボン酸基若しくはその塩を有するヘテロアリール基、又は
ｉｉｉ）少なくとも１個のＯＨ基、少なくとも１個のＮＨ2基若しくは１個のＯＨ基と１個のＮＨ2基を有する且つ式Ａｒ1−Ｎ＝Ｎ−Ａｒ2（ここで、Ａｒ1及びＡｒ2は同じ又は異なっていてもよく、そしてアリーレン基又はアリール基であり、且つＡｒ1又はＡｒ2の少なくとも一方はアリーレン基である）を有するアゾアレーン基
を含む変性着色剤
を含むインクジェットインキ組成物。
［実施形態１０９］
有機基が、少なくとも２個のＯＨ基、少なくとも２個のＮＨ2基又は１個のＯＨ基と１個のＮＨ2基を有するアゾアレーン基を含み且つ式Ａｒ1−Ｎ＝Ｎ−Ａｒ2（ここで、Ａｒ1及びＡｒ2は同じ又は異なっていてもよく、そしてアリーレン基又はアリール基であり、且つＡｒ1又はＡｒ2の少なくとも一方はアリーレン基である）を有する、実施形態１０８に記載のインクジェットインキ組成物。
［実施形態１１０］
インクジェットインキ組成物であって、
ａ）液体ビヒクル、及び
ｂ）少なくとも１個の有機基が結合されている染料を含む変性着色剤であって、該有機基が
ｉ）少なくとも２個のホスホン酸基、その部分エステル若しくはその塩、又は
ｉｉ）少なくとも１個のヒドロキサム酸基若しくはその塩
を含む変性着色剤
を含むインクジェットインキ組成物。
［実施形態１１１］
インクジェットインキ組成物であって、
ａ）液体ビヒクル、並びに
ｂ）少なくとも１個の有機基及び少なくとも１個の第２有機基が結合されている着色剤を含む変性顔料であって、該有機基がフェニルホスホン酸のカルシウム指数値より大きいカルシウム指数値を有し、そして第２有機基がポリマー基である変性顔料
を含むインクジェットインキ組成物。
［実施形態１１２］
有機基が、少なくとも２個のホスホン酸基、その部分エステル又はその塩を含む、実施形態１１１に記載のインクジェットインキ組成物。
［実施形態１１３］
有機基が、少なくとも３個のカルボン酸を有するアリールポリ酸基を含む、実施形態１１１に記載のインクジェットインキ組成物。